【事件の表示】
　平成　５年特許願第１０９７９４号「カラー画像形成方法」拒絶査定不服審判事件〔平成　６年１０月２８日出願公開、特開平　６−３０１１７９、請求項の数（１）〕について、次のとおり審決する。
【結　論】
　原査定を取り消す。
　本願の発明は、特許すべきものとする。
【理　由】
１．本願発明
　本願は、平成５年４月１４日の出願であって、その請求項１に係る発明（以下、「本願発明」という。）は、平成１２年１２月１日付け及び平成１６年５月１０日付け手続補正書により補正された明細書の記載からみて、その特許請求の範囲の請求項１に記載された次のとおりのものと認める。
「【請求項１】　支持体上に少なくとも感光性ハロゲン化銀、下記一般式（１）で表わされるイエロー色素供与性化合物および水に難溶な塩基性金属化合物を有する熱現像感光材料を、像露光後または像露光と同時に、水並びに前記塩基性金属化合物を構成する金属イオンと錯形成反応しうる化合物の存在下で下記一般式（ＬＸＩ）で表されるビニルモノマー単位を含むポリマー媒染剤とバインダーを含有する色素固定層を有する色素固定材料と密着状態で加熱し色素固定材料上に転写色素像を得ることを特徴とするカラー画像形成方法。
（一般式（１））
【化１】
　式中Dye は下記一般式（２）で表わされる色素基または色素前駆体基を表わし、Ｙは画像状に潜像を有する感光性ハロゲン化銀が銀に還元されることに対応または逆対応して色素成分の拡散性に差を生じさせる性質の基を表わし、Ｘは単なる結合または連結基を表わしｐは１以上の自然数を表わしｑは１または２を表わし、ｐが２以上またはｑが２であるときDye または（Dye)ｐ−Ｘはすべて同じであっても異なっていても良い。
（一般式（２））
　式中Ｒ1 、Ｒ2 は水素原子、ハロゲン原子、水酸基、シアノ基、ニトロ基、カルボキシル基、置換もしくは非置換のアルキル基、アラルキル基、シクロアルキル基、アリ−ル基、複素環残基、アルコキシ基、アリ−ルオキシ基、アミノ基、アシルアミノ基、スルホニルアミノ基、アシル基、スルホニル基、カルバモイル基、スルファモイル基、ウレイド基、アルキルチオ基、アリ−ルチオ基の中から選ばれる置換基を表わす。Ｒ3 はＲ1 、Ｒ2 で定義した水素原子を除外する他はＲ1 、Ｒ2 と同義である。ｎは０〜５の整数を表わし、ｎが２〜５の時Ｒ3 は同一であっても異なっていても良い。
　Dye とＸは一般式（２）のＲ1 、Ｒ2 、Ｒ3 のいずれかで結合する。
　
一般式（ＬＸＩ）
【化２】
　式中、Ｒ１は水素原子または１〜６個の炭素原子数を有する低級アルキル基を表わす。Ｌは１〜２０個の炭素原子数を有する２価の連結基を表わす。Ｅはイミダゾール環を表わす。ｎは０または１である。」
　
２．拒絶の理由の概要
　これに対して、原査定の拒絶の理由の概要は、本願発明は、特開昭６１−２６１７３８号公報（以下、「刊行物」という。）に記載された発明に基づいて当業者が容易に発明をすることができたものであるので、本願発明は、特許法第２９条第２項の規定により特許を受けることができないものであり、また、本願は、明細書の記載が特許法第３６条第４項、第５項及び第６項に規定する要件を満たしていない、というものである。
　
３．刊行物の記載事項
　刊行物には、
イ．「支持体上に下記一般式(I)で表わされる画像形成化合物を少なくとも一つ有するカラー感光材料。
　　（Ｄｙｅ−Ｘ)ｑ−Ｙ　　　　　　　(I)
〔式中、Ｄｙｅは下記式(II)で表わされるイエロー色素基または色素前駆体基を表わし、Ｘは単なる結合または連結基を表わし、Ｙは画像状に潜像を有する感光性銀塩に対応または逆対応して、該銀塩との反応の前後で色素成分の拡散性に差を生じさせるような性質を有する基を表わす。
式中、Ｒ１、Ｒ２、Ｒ３は同一でも異なつていてもよく、水素原子；ハロゲン原子；水酸基；シアノ基；カルボキシル基；置換もしくは非置換のアルキル基、アラルキル基、シクロアルキル基、アリール基、複素環残基、アルコキシ基、アリールオキシ基、アミノ基、アシルアミノ基、スルホニルアミノ基、アシル基、スルホニル基、カルバモイル基、スルフアモイル基、ウレイド基、アルキルチオ基、アリールチオ基の中から選ばれた置換基を表わす。ｎは０〜４の整数を表わし、ｎが２〜４の時、Ｒ３は同一でも異なつていてもよい。
　ＤｙｅとＸは式(II)のＲ１、Ｒ２、Ｒ３のいずれかで結合する。ｑは１または２であり、ｑが２の時、Ｄｙｅ−Ｘは同一でも異なつていてもよい。〕」（特許請求の範囲）、
ロ．実施例１として、
　支持体上に塗布された６層の第５層に、感光性ハロゲン化銀、
イエロー画像形成化合物：
、及び
塩基プレカーサー：
ＣＨ３ＣＯＮＨ−Ｃ６Ｈ４−Ｃ≡Ｃ−ＣＯＯＨ・ＨＮ＝Ｃ(−ＮＨ２)２　
を含有するカラー感光材料（第１表）、及び、
色素固定層にポリマー媒染剤：
とバインダーを含有する色素固定材料を調製し、
　まず、カラー感光材料に、タングステン電球を用い、Ｇ、Ｒ、ＩＲの三色分解フイルターを通して、５００ルツクスで１秒露光後、１４０℃、３０秒間均一に加熱して、次に、色素固定材料の膜面側に水を供給した後、加熱処理の終わつたカラー感光材料を、それぞれ膜面が接するように固定材料と重ね合せて、８０℃３秒あるいは６秒加熱した後色素固定材料を感光材料からひきはがすと、色素固定材料上にＧ、Ｒ、ＩＲの３色分解フイルターに対応して、それぞれイエローの色像が得られたこと(１４頁右下欄１３行〜１６頁右上欄２行)、
ハ．一般式(I)で表わされる画像形成化合物を含有するカラー感光材料は、イエロー色素の転写性が優れ、かつイエロー色素の光堅牢性も良好であること(１８頁左下欄３〜７行)
が記載されている。
　上記記載事項イ〜ハからみて、刊行物には、支持体上に、感光性ハロゲン化銀、
イエロー画像形成化合物：
、及び
塩基プレカーサー：
ＣＨ３ＣＯＮＨ−Ｃ６Ｈ４−Ｃ≡Ｃ−ＣＯＯＨ・ＨＮ＝Ｃ(−ＮＨ２)２　　
を含有するカラー感光材料を、露光後、水の存在下で、
色素固定層にポリマー媒染剤：
とバインダーを含有する色素固定材料と密着状態で加熱し色素固定層材料上にイエロー転写色素像を得るカラー画像形成方法が記載されているものと認められる。
　
４．特許法第２９条第２項違反について
　本願発明と刊行物に記載された発明とを対比すると、
　後者の「イエロー画像形成化合物」、「カラー感光材料」、「露光」は、前者の「イエロー色素供与性化合物」、「熱現像感光材料」、「像露光」にそれぞれ相当するから、
　両者は、「支持体上に少なくとも感光性ハロゲン化銀及び一般式（１）で表わされるイエロー色素供与性化合物を有する熱現像感光材料を、像露光後に、水並びに塩基プレカーサーの存在下で一般式（ＬＸＩ）で表されるビニルモノマー単位を含むポリマー媒染剤とバインダーを含有する色素固定層を有する色素固定材料と密着状態で加熱し色素固定材料上に転写色素像を得るカラー画像形成方法」である点で一致し、
　加熱によりアルカリを発生する塩基プレカーサーが、前者では、水に難溶な塩基性金属化合物と、該塩基性金属化合物を構成する金属イオンと錯形成反応しうる化合物とであるのに対して、後者では、ＣＨ３ＣＯＮＨ−Ｃ６Ｈ４−Ｃ≡Ｃ−ＣＯＯＨ・ＨＮ＝Ｃ(−ＮＨ２)２である点で相違する。
　上記相違点について検討すると、拒絶査定において、本願発明の画像形成方法におけるアルカリの発生方法が周知であること裏付けるものとして示され、また、本願明細書（段落【０００５】）に該アルカリの発生方法を記載する文献として示されている、特開昭６２−２４４０４４号公報、特開昭６２−２４５２６４号公報には、本願明細書の塩基プレカーサーのアルカリ発生の説明に関する記述（段落【０１３２】〜【０１５０】）と同様なことが記載されているにとどまり、さらに、イエロー色素供与性化合物としては、本願発明の、イエロー色素基である一般式（２）で表わされる基を有するものが一切例示されておらず、しかも、イエロー色素の光照射時の色味の変化についても何ら記載されていないので、該両公報の記載は、イエロー色素の光照射時の色味の変化、及びさらにその変化と塩基プレカーサーとが関連することを示唆するに足るものといえるものではない。
　そうすると、該特開昭６２−２４４０４４号公報、特開昭６２−２４５２６４号公報の記載事項を参酌しても、刊行物に記載の画像形成方法において、塩基プレカーサーとして、水に難溶な塩基性金属化合物と該塩基性金属化合物を構成する金属イオンと錯形成反応しうる化合物とからなる塩基プレカーサー用いること、あるいは光照射時のイエローの色味の変化を防止することを動機付けるところは何も見いだせない。
　したがって、本願発明は、刊行物に記載された発明に基づいて当業者が容易に発明をすることができたものではない。
　
５．特許法第３６条第４項、第５項及び第６項違反について
　本願明細書の段落【０３１７】の表３２において、感光材料２０７、２０８が実施例にあたるものであるのに、「比較」とされているのは不備であるとするものであるが、平成１２年１２月１日付け手続補正書で実施例であることを示す「本発明」と補正され、該不備とする点は解消した。
　
６．むすび
　以上のとおりであるから、本願発明は、刊行物に記載された発明に基づいて当業者が容易に発明をすることができたものではない。また、本願明細書の記載が特許法第３６条第４項、第５項及び第６項に規定する要件を満たしていないとすることもできない。
　また、他に本願を拒絶すべき理由を発見しない。
　よって、結論のとおり審決する。